(57)【特許請求の範囲】
【請求項１】
内部にモータなどの振動発生源を有する給湯装置を垂直な壁面に取り付ける取付構造であって、給湯装置と壁面との間に弾性体からなる防振部材を介在させ、振動発生源で発生する振動が壁面に伝播されることを防止する給湯装置の取付構造において、給湯装置の重心を挟んで重心より上方に位置する上部と重心より下方に位置する下部とに各々防振部材を配設し、上部に配設される防振部材は垂直方向に圧縮されるように配設し、下部に配設される防振部材は後方に向かって水平方向に圧縮されるように配設し、さらに、上部に配設される防振部材は、壁面に固定された固定板部の水平部と、給湯装置の背面に固定された器具側板部の一部であって給湯装置側から後方に向かって延びる水平部とで垂直方向に挟まれるように配設され、この器具側板部の水平部が前方に移動して防振部材に剪断方向の力が作用しないように、この器具側板部の水平部の前方への移動を規制するストッパを設け、このストッパと器具側板部側との間に防振性を有する部材を挟み込んだことを特徴とする給湯装置の取付構造。
【請求項２】
上記ストッパは器具側板部の規制位置を前後方向に調節する規制位置調節機構を備えたことを特徴とする請求項１に記載の給湯装置の取付機構。
【発明の詳細な説明】
【技術分野】
【０００１】
本発明は、給湯装置を壁面に取り付ける際の取付構造に関する。
【背景技術】
【０００２】
給湯装置は主に屋外の壁面に取り付けられ、その給湯装置から屋内の各所に配管を通して給湯される。給湯装置内には給湯するためのポンプやバーナへ燃焼用空気を送風するためのファンが設けられている。これらのポンプやファンはモータによって駆動される。これらのポンプやファンが回転すると振動が発生するが、その振動が壁面に伝播すると壁面自体が振動して騒音となる。
【０００３】
給湯装置から壁面への振動の伝播を防止するため、給湯装置を壁面に取り付ける取付構造にゴム製の防振部材を用い、給湯装置と壁面との間にこの防振部材を介在させることにより給湯装置から壁面への振動の伝播を遮断するようにしたものが知られている（例えば、特許文献１参照）。
【０００４】
図７を参照して、この防振部材ＵＲ，ＬＲはほぼ円柱形状をしており、壁面Ｗ側に固定した固定金具Ｕ１，Ｌ１の水平部分と給湯装置１の背面に固定した器具側金具Ｕ２，Ｌ２の水平部分とで防振部材ＵＲ，ＬＲを上下方向から挟んで、防振部材ＵＲ，ＬＲを軸線方向に沿って上方から圧縮する構造を採用している。なお、固定金具Ｕ１，Ｌ１および器具側金具Ｕ２，Ｌ２は共に給湯装置１の上部と下部との各々に配置されており、上部および下部の取付構造Ｕ，Ｌにそれぞれ防振部材ＵＲ，ＬＲを用いている。
【０００５】
さらに具体的には、固定金具Ｕ１，Ｌ１の水平部分の上面と器具側金具Ｕ２，Ｌ２の水平部分の下面とで防振部材ＵＲ，ＬＲを挟んだ状態であらかじめ組み立てられており、その状態で固定金具Ｕ１，Ｌ１を壁面Ｗに固定すると給湯装置１の重量によって器具側金具Ｕ２，Ｌ２の水平部分が防振部材ＵＲ，ＬＲを上方から圧縮し、固定金具Ｕ１，Ｌ１の水平部分が防振部材ＵＲ，ＬＲを介して給湯装置１の荷重を受けることになる。
【先行技術文献】
【特許文献】
【０００６】
【特許文献１】特開２００６−２９２３３１号公報（段落００４２、図２）
【発明の概要】
【発明が解決しようとする課題】
【０００７】
上記従来の取付構造では、給湯装置１の重心Ｂは上下の取付構造Ｕ，Ｌよりも前方に位置するため、下部の器具側金具Ｌ２が後方に移動し給湯装置１の姿勢が前方にお辞儀する方向に傾くことになる。重心Ｂは下部の取付構造Ｌよりも上方に位置しているので、給湯装置１が前方に傾くと、重心Ｂはさらに前方に移動することになり、上部の器具側金具Ｕ２はさらに大きなモーメントが作用して前方に移動することになる。このように器具側金具Ｕ２が前方に移動すると、上部の防振部材ＵＲが水平方向に変形され、上方からの圧縮力が十分に防振部材ＵＲにかからず防振効果が損なわれることになる。
【０００８】
そこで本発明は、上記の問題点に鑑み、給湯装置の重心が取付構造よりも前方に偏位していても上部の防振部材の変形を防止して防振効果が損なわれることのない給湯装置の取付構造を提供することを課題とする。
【課題を解決するための手段】
【０００９】
上記課題を解決するために本発明による給湯装置の取付構造は、内部にモータなどの振動発生源を有する給湯装置を垂直な壁面に取り付ける取付構造であって、給湯装置と壁面との間に弾性体からなる防振部材を介在させ、振動発生源で発生する振動が壁面に伝播されることを防止する給湯装置の取付構造において、給湯装置の重心を挟んで重心より上方に位置する上部と重心より下方に位置する下部とに各々防振部材を配設し、上部に配設される防振部材は垂直方向に圧縮されるように配設し、下部に配設される防振部材は後方に向かって水平方向に圧縮されるように配設し、さらに、上部に配設される防振部材は、壁面に固定された固定板部の水平部と、給湯装置の背面に固定された器具側板部の一部であって給湯装置側から後方に向かって延びる水平部とで垂直方向に挟まれるように配設され、この器具側板部の水平部が前方に移動して防振部材に剪断方向の力が作用しないように、この器具側板部の水平部の前方への移動を規制するストッパを設け、このストッパと器具側板部側との間に防振性を有する部材を挟み込んだことを特徴とする。
【００１０】
給湯装置の前方への倒れは下部の防振部材が変形して下部の器具側金具が後方へ移動することを許容してしまうことにある。そこで、上記のように下部に配設される防振部材は後方に向かって水平方向に圧縮されるように配設した。このように防振部材を配設することにより、下部の器具側金具が後方に移動しようとする力を防振部材の軸線方向に沿って受けることができ、この器具側金具の後方への移動を防止することができ、上方の防振部材の変形を防止できる。その結果、給湯装置の前方への傾きが緩和される。
【００１１】
なお、上部の器具側金具が前方へ移動しようとする力は残存するが、上部の防振部材の圧縮方向は垂直のままでなければ給湯装置の荷重を受けることができない。
【００１２】
そこで、上部に配設される防振部材は、壁面に固定された固定板部の水平部と、給湯装置の背面に固定された器具側板部の一部であって給湯装置側から後方に向かって延びる水平部とで垂直方向に挟まれるように配設され、この器具側板部の水平部が前方に移動して防振部材に剪断方向の力が作用しないように、この器具側板部の水平部の前方への移動を規制するストッパを設け、このストッパと器具側板部側との間に防振性を有する部材を挟み込んだ。
【００１３】
上記ストッパは器具側板部の規制位置を前後方向に調節する規制位置調節機構を備えてもよい。
【発明の効果】
【００１４】
以上の説明から明らかなように、本発明は、下部の防振部材の圧縮方向を水平方向にすることにより、上部の防振部材の変形を軽減させ上部の防振部材による防振効果が損なわれないようにすることができる。
【図面の簡単な説明】
【００１５】
【図１】本発明の一実施の形態の構成を示す図
【図２】上部および下部の取付構造を示す側面図
【図３】下部の取付構造を示す斜視図
【図４】上部の取付構造を示す斜視図
【図５】上部の取付構造の第２の実施形態を示す斜視図
【図６】上部の取付構造の第３の実施形態を示す側面図
【図７】従来の取付構造を示す図
【発明を実施するための形態】
【００１６】
図１を参照して、１は給湯装置であり、後方に位置する垂直な壁面Ｗに取り付けられている。この給湯装置１の後部には下部取付部２と上部取付部３とが設けられており、これら下部取付部２および上部取付部３によって壁面Ｗに取り付けられている。なお、図示しないが給湯装置１には温水を屋内の各所に送出するポンプや、ガスバーナに燃焼用の空気を送風するためのファンが内蔵されており、これらポンプやファンはモータによって駆動される。また、これらのポンプやファンは給湯装置１を構成する各種部品のうち、比較的重量が重いものであり、かつ給湯装置１内の下部に取り付けられているので、給湯装置１全体としての重心Ｂは図示のように給湯装置１の上下方向の中心位置よりも下部に偏位し、かつ下部取付部２および上部取付部３よりも前方に偏位している。
【００１７】
図２および図３を参照して、下部取付部２は給湯装置１側に固定されたＬ型の器具側金具２１と壁面Ｗに固定された固定金具２２と、これら器具側金具２１および固定金具２２との間に取り付けられた防振部材２３とから構成されている。この防振部材２３は中央がくびれたほぼ円柱状であってゴム製の防振部２３ｃと、防振部２３ｃの一端に取り付けられた板状のブラケット２３ａ、および他端に取り付けられたボルト２３ｂとから構成されている。ブラケット２３ａとボルト２３ｂとは直接連結されておらず、両者は防振部２３ｃを介して連結されている。そして、この防振部２３ｃは軸線方向に圧縮された状態で最大の防振性能を発揮するように設計されている。この軸線方向とは、ブラケット２３ａとボルト２３ｂとの距離が縮まる方向である。図示のように、本発明では防振部材２３を、軸線方向が水平な前後方向になるように取り付けた。
【００１８】
上述のように、給湯装置１の重心Ｂは給湯装置１の下部に位置するが、さらに下部取付部２および上部取付部３よりも前方に位置する。そのため、図１および図２のように、下部取付部２と上部取付部３とで給湯装置１を取り付けると、上部取付部３を中心にして給湯装置１が後方に揺動し、前方に傾こうとする。そのため、下部取付部２においては、器具側金具２１が壁面Ｗに近づく方向に移動しようとする。そこで、図示のように防振部材２３の軸線方向が前後方向になるように取り付けると、器具側金具２１が壁面Ｗに近づこうとする力が防振部材２３の軸線方向に沿って作用し、防振部材２３に対してその力が全て圧縮力として作用する。そのため、防振部材２３の圧縮代をあらかじめ算出することができ、給湯装置１を取り付けた状態、すなわち下部の防振部材２３が圧縮された状態で給湯装置１が傾かないようにすることができる。このように給湯装置１が傾かないと重心Ｂは傾きによる前方への移動がないので上部の器具側金具３１を前方へと移動させる力が大きくなることがない。
【００１９】
なお、上述のように、振動発生源となるポンプやファンなどは給湯装置１の下部に内蔵されているので、発生した振動は上部取付部３よりも下部取付部２に強く作用する。しかし、下部取付部２の防振部材２３の防振性能が十分に発揮されるので、給湯装置１側で発生した振動は防振部材２３によって有効に遮断されることになる。
【００２０】
一方、上部取付部３は給湯装置１に固定された逆Ｌ型の器具側金具３１と壁面Ｗに固定されたＬ型の固定金具３２と、これら器具側金具３１と固定金具３２との間に挟まれた防振部材３３とを備えている。上部取付部３では、防振部３３ｃの両端にボルト３３ａ，３３ｂを取り付けたタイプの防振部材３３を用いている。このタイプの防振部材３３は両ボルト３３ａ，３３ｂを結ぶ線が軸線であり、本図に示すように軸線が垂直方向になるように防振部材３３を取り付けた。
【００２１】
これは、給湯装置１の荷重が上部取付部３に作用し、荷重を全て３個の防振部材３３で受けるためである。但し、上部取付部３は給湯装置１の重心から遠いため大きな力にはならないが、重心Ｂの位置が上部取付部３よりも前方に偏位しているため、給湯装置１が前方に倒れようとして、器具側金具３１が前方に移動しようとする力が発生する。その力は防振部材３３に対して剪断方向の力として作用するため、防振部材３３の防振機能が損なわれる。
【００２２】
そこで、器具側金具３１が前方へ移動しないようにストッパ機構４を設けた。このストッパ機構４は固定金具３２に取り付けられ前方に向かって延びる水平な軸部４１と、この軸部４１の前端に形成されたネジ部４１ａに螺合するナット４２とから構成されている。なお、給湯装置１側からの振動がこの軸部４１を伝って壁面Ｗに伝播しないように、ゴム製の防振ブッシュ４５をカラー４３，４４で挟んで取り付けた。
【００２３】
この構造により、器具側金具３１が前方に移動しようとしても、軸部４１に螺合したナット４２がストッパとして機能し、器具側金具３１が前方に移動することを防止することができる。また、器具側金具３１まで伝わった振動はカラー４４から防振ブッシュ４５まで伝播するとそこで遮断され、カラー４３には伝播しない。従って、給湯装置１側からの振動はこの防振ブッシュ４５の他に、防振部材３３によって遮断されて壁面Ｗに伝播することがない。
【００２４】
また、上部取付部３に関しては上述のものの他、図５に示すものでもよい。このものでは器具側金具３１の両端に垂直な折曲部３１ａを設け、この折曲部３１ａにストッパ機構４を取り付けた。また、ストッパ機構４のナット４２の締め具合により器具側金具３１の前後方向の位置が調整できるので、器具側金具３１の前後方向の位置を確認するための目盛部３２ａを固定金具３２に設けた。なお、目盛部３２ａを左右両側に設けたので器具側金具３１の姿勢が前後方向に対して斜めにならないように確認することができる。
【００２５】
ところで、上記の実施形態では、２個のカラー４３，４４と防振ブッシュ４５とを用いたが、他の構造を採用してもよい。例えば図６に示すように、器具側金具３１とナット４２との間にコイルバネ４６を縮設し、そのコイルバネ４６によって器具側金具３１を押すようにしてもよい。なお、コイルバネ４６を介して伝播する振動は少なく、かつコイルバネ４６を伝播する間に減衰するためコイルバネ４６のみを縮設してもよいが、さらに振動の伝播を遮断するためにゴム製のワッシャ４７をコイルバネ４６とナット４２との間に介在させてもよい。
【００２６】
なお、本発明は上記した形態に限定されるものではなく、本発明の要旨を逸脱しない範囲内において種々の変更を加えてもかまわない。
【符号の説明】
【００２７】
１  給湯装置
２  下部取付部
３  上部取付部
４  ストッパ機構
２３  防振部材
３３  防振部材
【図１】
0005511090.tif 000002
【図２】
0005511090.tif 000003
【図３】
0005511090.tif 000004
【図４】
0005511090.tif 000005
【図５】
0005511090.tif 000006
【図６】
0005511090.tif 000007
【図７】
0005511090.tif 000008